(57)【要約】      （修正有）【課題】製造プロセスが簡単で、使用時に遮光部が平たく整い、全体の安定性が維持される、改良型シェード構造を提供する。【解決手段】シェードの改良構造は、シェードモジュール１を含み、シェードモジュールは上から下の順に、鞘管部１１と、少なくとも二組以上の遮光部１２と、二つの遮光部の間に設置される横向きのつり合おもりユニット３と、シェードモジュールの最底端に設置されるつり合おもり部１３とを含む。つり合おもりユニット及びつり合おもり部が、遮光部が展開される時にその整然性を維持する。二つの遮光部の間に貫通孔１２１が備えられ、つり合おもり部上に貫通タング１４が設置され、貫通タングが貫通孔に挿入され、遮光部を巻取った後に貫通タングを貫通孔に挿入することで、遮光部の巻取状態が維持されると同時に、シェードモジュールの整然性が保たれる。【選択図】図１
0003220924.tif 000002
【実用新案登録請求の範囲】
【請求項１】
シェードの改良構造であり、シェードモジュールを含み、前記シェードモジュールが上から下の順に、鞘管部と、少なくとも二組以上の遮光部と、二つの前記遮光部の間に設置される横向きのつり合おもりユニットと、前記シェードモジュールの最底端に設置されるつり合おもり部とを含み、前記つり合おもりユニット及び前記つり合おもり部が、前記遮光部が展開される時にその整然性を維持し、
その内、二つの前記遮光部の間に貫通孔が備えられ、前記つり合おもり部上に貫通タングが設置され、前記貫通タングが前記貫通孔に挿入され、前記遮光部を巻取った後に前記貫通タングを前記貫通孔に挿入することで、前記遮光部の巻取状態が維持されると同時に、前記シェードモジュールの整然性が保たれることを特徴とする、シェードの改良構造。
【請求項２】
前記貫通タングに貫通巻部が備えられ、前記貫通巻部内におもりブロックが備えられることを特徴とする、請求項１に記載のシェードの改良構造。
【請求項３】
シェードの改良構造であり、シェードモジュールを含み、前記シェードモジュールが上から下の順に、鞘管部と、四つの遮光部と、二組ごとの前記遮光部の間に設置される横向きのつり合おもりユニットと、前記シェードモジュールの最底端に備えられるつり合おもり部とを含み、前記鞘管部が前記シェードモジュール最上端に設置されて、クロスバーを前記鞘管部に貫通させることで吊下げられ、前記つり合おもりユニットが前記遮光部を展開することで前記遮光部の整然性を維持し、
その内、それぞれの前記遮光部の間に貫通孔が備えられ、前記つり合おもり部上に貫通タングが設置され、前記貫通タングが前記貫通孔に挿入され、どれか一つの前記遮光部を巻取った後に前記貫通タングを前記貫通孔に挿入することで、前記遮光部の巻取状態を生じさせ、前記シェードモジュールの整然性が保たれることを特徴とする、シェードの改良構造。
【請求項４】
前記つり合おもりユニットが前記遮光部の正面に設置されることを特徴とする、請求項１または３に記載のシェードの改良構造。
【請求項５】
前記鞘管部上に少なくとも一つの吊環が備えられることを特徴とする、請求項１または３に記載のシェードの改良構造。
【考案の詳細な説明】
【技術分野】
【０００１】
本考案はシェードの改良構造に関し、とりわけ、引きコードのモジュールを使用せずにローマンシェードのシェードモジュールの位置を制御でき、並びに、美観、シェードの整然性及び巻取後の構造の安定という効果を達するシェードの構造に関する。
【背景技術】
【０００２】
従来のカーテンはコードを引張る構造で、コードを引張ることでシェードの収閉と展開を制御する。しかし、シェードが収閉された状態で、引きコードが垂れ伸びて一定の長さで露出し、幼児が遊んでいる時に首に絡まり、慌てて取払おうとする結果、引きコードが上昇してきつく縛られ、事故につながる懸念がある。
【考案の概要】
【考案が解決しようとする課題】
【０００３】
多数のメーカーが積極的にコードレスシェードの構造を開発している。ほとんどの設計はシェードの上に複数の磁石を設置し、磁石が互いに引合うことで、固定する効果を達している。しかし、このような技術的手段には以下の欠点がある。
（１）シェードが平らで整わない。ローマンシェードのような構造において、シェードには軟質の不織布を使用しなければならず、従来技術においては、シェードの左・右両端は下への引張力を失うので、シェードの左・右両側は垂落ちて平らではなくなる。
（２）組立てが不便である。周知の磁石には二つの極性があり、作業員は組み立ての際、磁石の磁極を確認する必要があり、磁極を間違えて組立てると折畳みが上手くいかない。
（３）折畳まれた後、抜落ちがしやすい。従来構造は磁石のみで固定されるもので、風等によって大きく揺られると、巻取後のシェードが抜落ちることがある。
【０００４】
ゆえに、従来の構造は改善の必要がみられる。本考案の考案者は数年の作業経験及び研究を経て、本考案のシェードの改良構造の開発に至った。
【課題を解決するための手段】
【０００５】
本考案の目的は上述の欠点を改善することであり、その主な技術及び目的は、シェードモジュールの底端に貫通タングを設置し、シェード面に貫通タングに対応する複数の貫通孔を備え付け、シェードモジュールを折畳む際に、シェードモジュールを巻取って且つ貫通タングを貫通孔に挿入するという方法により、シェードモジュールの位置を固定し、シェードの整然性及び安定性を維持する、ということにある。
【０００６】
上記の目的を達するため、本考案のシェードの改良構造はシェードモジュールを含み、前記シェードモジュールは上から下の順に、鞘管部と、少なくとも二組以上の遮光部と、二つの前記遮光部の間に設置される横向きのつり合おもりユニットと、前記シェードモジュールの最底端に設置されるつり合おもり部とを含み、前記つり合おもりユニット及びつり合おもり部が、前記遮光部が展開される時にその整然性を維持し、その内、二つの前記遮光部の間に貫通孔が備えられ、前記つり合おもり部上に貫通タングが設置され、前記貫通タングが前記貫通孔に挿入され、前記遮光部を巻取った後に前記貫通タングを前記貫通孔に挿入することで、前記遮光部の巻取状態が維持されると同時に、前記シェードモジュールの整然性が保たれる。
【０００７】
これにより、本考案の技術的手段によって、本考案は以下の効果を得る。
（１）つり合おもりユニットにより重さをつり合せ、遮光部の整然性を維持する。
（２）製造プロセスを簡単にし、磁石式カーテンの組立の際の様に磁極に注意しなくてもよい。
（３）構造の安定性を維持し、大きく揺られることがあっても、遮光部が抜落ちないようにする。
【図面の簡単な説明】
【０００８】
【図１】本考案の構造正面立体図である。
【図２】本考案の構造背面立体図である。
【図３】本考案のシェードが巻取られた状態の図である。
【図４】図３の側面図である。
【図５】本考案の巻取二回の際の構造図である。
【図６】図５の側面図である。
【図７】は本考案の遮光部が完全に巻取られた際の図である。
【図８】本考案の第二実施例の構造立体図である。
【図９】本考案の第二実施例の構造立体図である。
【考案を実施するための形態】
【０００９】
本考案の特徴及びその利点に対する更なる理解に資するために、本考案の優れた実施例を、以下で図面を用いながら説明する。
【００１０】
図１から図４を参照されたい。本考案のシェード改良構造は一体構造であり、基本的には、織物によって構成されるシェードモジュール１により構成される。
【００１１】
図１から図４を参照されたい。前記シェードモジュール１の頂端には鞘管部１１が設置され、前記鞘管部１１はクロスバー２を挿入することができ、前記シェードモジュール１をクロスバー２上に設置することで、遮光・遮陽の効果を達することができる。
【００１２】
図１から図４を参照されたい。前記シェードモジュール１は基本的に二つ以上の遮光部１２によって折畳みが可能となり、前記遮光部１２の機能は外界の光線を遮り、室内者のプライバシーを保護することにある。本考案の実施例において、前記シェードモジュール１は四つの前記遮光部１２を備え、二つごとの前記遮光部１２の間にはつり合おもりユニット３が設けられ、前記つり合おもりユニット３は前記遮光部１２の正面に設置され、前記つり合おもりユニット３はミシン糸を通じて前記遮光部に１２に縫合わされ、或いはホットメルト接着剤を通じて前記遮光部１２に粘着する。これにより、前記つり合おもりユニット３を通じて下方向への引張力が生じ、前記遮光部１２の両端は平らで真直ぐに維持されるので、シェードは平たく整う。
【００１３】
図１から図４を参照されたい。前記シェードモジュール１の底部にはつり合おもり部１３が設置され、前記つり合おもり部１３の内部にはつり合おもりバー４が備えられる。基本的には、前記つり合おもり部１３の機能は、前記シェードモジュール１の全体的な整然性の維持にある。また、前記つり合おもり部１３の上には貫通タング１４が設置される。
【００１４】
図１から図４を参照されたい。前記シェードモジュール１の前記遮光部１２の上には貫通孔１２１が設置され、図１から図４に示すように、前記シェードモジュール１の四組の前記遮光部１２上の中央にはいずれも前記貫通孔１２１が備えられる。
【００１５】
図１から図７を参照しつつ、上述の説明を踏まえ、以下に本考案の使用方法を記す。使用者は前記遮光部１２を巻取って光を屋外から室内に照入させようとする際、前記遮光部１２を巻き、前記つり合おもり部１３上の前記貫通タング１４を前記貫通孔１２１に挿入することで巻取作業を完成させる。図３と図４は前記遮光部１２を一回巻取った様態を示し、図５と図６は前記遮光部１２を二回巻取った様態を示し、図７は前記遮光部１２を三回巻取った状態を示している。その内、図４と図６に示すように、巻取った後の前記シェードモジュール１の安定性を強化させるために、前記貫通タング１４の上に更に貫通巻部１５を含ませ、更に前記貫通巻部１５の中におもりブロック５を設置することで、前記遮光部１２の反対方向への抜落ちを防ぎ、且つ前記シェードモジュール１の全体の安定性を維持することができる。
【００１６】
図３から図７を参照されたい。上述の説明でも記載したように、本考案では使用者のニーズに基づいて前記貫通タング１４を何れか一組の前記貫通孔１２１の中に挿入することができ、これにより、前記遮光部１２は折畳んだ後もシェード全体の整然性と安定性を維持することができる。同時に、前記シェードモジュール１に美観を添えるメリットもある。
【００１７】
図８と図９を参照されたい。図８と図９は本考案の第二実施例であり、基本的な構造は図１から図７と同様である。唯一の差異は、前記鞘管部１１の上に少なくとも一つ以上の吊環１１１が設置されることである。図８と図９に示すように、前記鞘管部１１の上には二つの前記吊環１１１が設置され、複数の前記吊環１１１は図９に示す吊金具６上で懸吊される。これにより、前記クロスバー２を使用しなくとも吊着が可能となり、室内の遮光効果を生むことができる。
【００１８】
以上より、本考案の構造は、国内外において頒布された刊行物に記載された考案又は公衆に利用可能となった考案ではなく、実用新案登録の要件を満たしているため、審査により実用新案登録の決定を賜りたく存じる。
【００１９】
本考案は当業者であれば諸般の修飾が可能であるが、いずれも後付の実用新案登録請求の範囲の保護範囲に含まれる。
【符号の説明】
【００２０】
１ シェードモジュール
１１ 鞘管部
１１１ 吊環
１２ 遮光部
１２１ 貫通孔
１３ つり合おもり部
１４ 貫通タング
１５ 貫通巻部
２ クロスバ
３ つり合おもりユニット
４ つり合おもりバー
５ おもりブロック
６ 吊金具
【図１】
0003220924.tif 000003
【図２】
0003220924.tif 000004
【図３】
0003220924.tif 000005
【図４】
0003220924.tif 000006
【図５】
0003220924.tif 000007
【図６】
0003220924.tif 000008
【図７】
0003220924.tif 000009
【図８】
0003220924.tif 000010
【図９】
0003220924.tif 000011